(57)【要約】【課題】  軒先構造として構成・構造が簡単で製作容易であると共に熱伸縮対策が十分である建築物の軒先構造およびその施工方法を提供すること。【解決手段】  下地２の軒先端部３付近にガイド部材９を取り付け、該ガイド部材９に対して軒先本体１１を軒棟方向にスライド可能に配設し、この軒先本体１１には外装材１５の軒先側を固定し、軒棟方向に対向状の前記軒先端部３と軒先本体１１における水切り化粧部１２との間に、外装材１５の軒棟方向への熱伸縮長さ以上の間隔を有する下向き開口状の熱伸縮調整空間部１４を形成し、外装材１５の軒棟方向への熱伸縮に応じて水切り化粧部１２を含む軒先本体１１全体が同方向にスライドし得るようにしてある。【選択図】  図１
2005213918.tif 000002
【特許請求の範囲】
【請求項１】
下地の軒先端部付近にガイド部材を取り付け、該ガイド部材に対して軒先本体を軒棟方向にスライド可能に配設し、この軒先本体には外装材の軒先側を固定し、軒棟方向に対向状の前記軒先端部と軒先本体における水切り化粧部との間に、外装材の軒棟方向への熱伸縮長さ以上の間隔を有する下向き開口状の熱伸縮調整空間部を形成し、外装材の軒棟方向への熱伸縮に応じて水切り化粧部を含む軒先本体全体が同方向にスライドし得るようにしてあることを特徴とする建築物の軒先構造。
【請求項２】
ガイド部材は、側面部に内側下向き或いは内向きの誘導部を軒先本体の被誘導部に対応して設け、この誘導部で軒先本体の被誘導部を軒棟方向にスライド可能に案内することにより、外装材が軒先側の浮き沈みを押えられつつ軒棟方向へ熱伸縮可能に形成してあることを特徴とする請求項１記載の建築物の軒先構造。
【請求項３】
ガイド部材は、桁行き方向に配された保持部材間に配設され、ガイド部材の側面部が保持部材の側面に沿っていると共にこの側面部の上縁或いは内面に沿い誘導部が設けられていることを特徴とする請求項１または２記載の建築物の軒先構造。
【請求項４】
下地の軒先端部付近にガイド部材を取り付け、該ガイド部材に対して軒先本体を軒棟方向にスライド可能に配設し、この軒棟方向に対向状の軒先本体における水切り化粧部と下地の軒先端部との間に外装材の軒棟方向への熱伸縮長さ以上の間隔からなる下向き開口状の熱伸縮調整空間部を形成し、かかる軒先本体に外装材の軒先側を固定するようにしたことを特徴とする建築物の軒先構造の施工方法。
【発明の詳細な説明】
【技術分野】
【０００１】
本発明は建物物の軒先構造およびその施工方法に関し、さらに詳しくは、熱伸縮する金属製屋根に有用な軒先構造およびその施工方法に関する。
【背景技術】
【０００２】
例えば、特許文献１に記載されている縦葺き屋根用の軒先構造があり、この構成は、屋根下地材２の軒端と屋根材５の軒端との間に、屋根材５の熱伸縮を吸収する軒先唐草２２が配置されており、軒先唐草２２は、屋根下地材２に固定した唐草本体２３と、唐草本体２３で軒棟方向へスライド自在に案内支持した吸収枠２４とからなり、唐草本体２３が、屋根下地材２に支持される取付部２５と、取付部２５から上方へ立ち上がる枠受部２６とを含んで形成されており、吸収枠２４には、唐草本体２３にスライド自在に支持される腕部３５が設けられており、腕部３５をスライド自在に案内支持するガイド溝３６が、唐草本体２３の枠受部２６に設けてあり、屋根材５の軒端に設けた掛止縁４１が、吸収枠２４の軒端に掛け止め連結してあるものである。
このような軒先構造のものでは、構造が複雑で組み立て施工が面倒であり、また、各要素の成形手間すなわち唐草本体２３や吸収枠２４等の成形加工に要するコストの問題を抱えている。
【特許文献１】特許第２９９９７２０号
【発明の開示】
【発明が解決しようとする課題】
【０００３】
解決しようとする課題は、第１には、軒先構造として構成・構造が簡単で製作容易であると共に熱伸縮対策が十分である建築物の軒先構造を、第２には、さらに、軒先本体の軒棟方向への動きが外装材或いは同裏面の断熱材等によって妨げられずに滑らかである建築物の軒先構造を、第３には、さらに、保持部材間における外装材裏面側に発生することもある結露水を軒先へ排水可能な建築物の軒先構造を、第４には、軒先構造として構成・構造が簡単で製作容易であると共に、外装材の軒棟方向への熱伸縮に対応する軒先本体および水切り化粧部の動きが確実で熱伸縮対策が十分である軒先構造を、容易に組み付けて施工することができる建築物の軒先構造の施工方法を提供することにある。
【課題を解決するための手段】
【０００４】
本発明は前記した課題を達成するため、建築物の軒先構造では、以下の構成にしたことを特徴とする。
１．下地の軒先端部付近にガイド部材を取り付け、該ガイド部材に対して軒先本体を軒棟方向にスライド可能に配設し、この軒先本体には外装材の軒先側を固定し、軒棟方向に対向状の前記軒先端部と軒先本体における水切り化粧部との間に外装材の軒棟方向への熱伸縮長さ以上の間隔からなる下向き開口状の熱伸縮調整空間部を形成し、外装材の軒棟方向への熱伸縮に応じて水切り化粧部を含む軒先本体全体が同方向にスライドし得るようにしてあることを特徴とする。
ここで、下地は、例えば、鉄骨造、ＲＣ造等の躯体や、躯体上に野地材を敷設したもの等の公知のもの全てであり、この下地には、野地材上の防水シート、野地材上における防水シート上の軒先捨て水切り部材等も含まれる。
外装材は、軒棟方向に長尺の主に縦葺きと称されている金属製の外装材で、外装面（屋根面）が、桟が突出している態様でも、略平坦状の態様であってもよく、軒棟方向すなわち長手方向に熱伸縮する全ての金属製外装材が対象になる。この外装材と軒先本体の固定は、主にビス等の固着具で行なわれるが、係止、溶接、かしめ等の伸縮時に外れない態様であればよい。
ガイド部材は、軒先本体が外装材の熱伸縮時にスライドする際に外れぬように案内可能であればよく、その断面形状、軒棟方向の長さ、材質は問わない。例えば、ガイド部材は、軒先本体をスライド案内可能な働きを有する態様のもの、さらに、外装材裏面側に発生することもある結露水等の排水をも考慮した働きを有する樋状の態様のもの等であっても良い。
軒先本体は、ガイド部材に案内されて軒棟方向にスライド可能であると共に外装材を固定可能な態様であればよく、その形状、軒棟方向の長さ、材質は問わない。例えば、ガイド部材に案内される軒先本体部を樋状或いは断面略門形状にすることで、結露水等の排水に支障がないようになる。
この軒先本体は、軒棟方向にスライド可能な軒先本体部、外装材を固定可能な被取付部、唐草としての水切り化粧部を有し、これらの軒先本体部と被取付部と水切り化粧部は同一体或いは別体であってもよいし、また、軒先本体部と被取付部が同一体に成形され、この被取付部に水切り化粧部がビス止め、係止、溶接、かしめ等の適宜固定手段で取り付け固定されているものであってもよい。
熱伸縮調整空間部は、軒棟方向に対向状の水切り化粧部と下地の軒先端部との間に形成され、外装材の軒棟方向への熱伸縮に応じて、これと一体連動状の軒先本体全体すなわち軒先本体部および被取付部ならびに水切り化粧部が同方向にスライド可能な間隔を有する態様のものであれば良い。この間隔は、外装材の熱収縮時でも同空間部を雨水や結露水が流れ落ちるのを妨げない値になるのが望ましい。
【０００５】
２．前記した１において、ガイド部材は、側面部に内側下向き或いは内向きの誘導部を軒先本体の被誘導部に対応して設け、この誘導部で軒先本体の被誘導部を軒棟方向にスライド可能に案内することにより、外装材が軒先側の浮き沈みを押えられつつ軒棟方向へ熱伸縮可能に形成してあることを特徴とする。
誘導部は、軒棟方向に沿う連続した態様であってもよいし、軒棟方向に沿う不連続な態様であってもよい。また、誘導部は、溝状或いは突状のいずれであってもよく、この誘導部で軒先本体を軒棟方向にスライド可能に案内し得るものであればよい。そのため、被誘導部は、誘導部が溝状である場合にはこの溝内をスライド可能な突状の態様のものになり、誘導部が突状である場合にはこの突状に沿いスライド可能な溝状の態様のものになる。
【０００６】
３．前記した１または２において、ガイド部材は、桁行き方向に配された保持部材間に配設され、ガイド部材の側面部が保持部材の側面に沿っていると共にこの側面部の上縁或いは内面に沿い誘導部が設けられていることを特徴とする。
ガイド部材は、保持部材間の下地に固定されるが、保持部材に固定するようにしてもよい。この固定手段は、ビス等の固定具、接着材による接着、その他の固定手段のいずれでもよい。ガイド部材の側面部と保持部材の側面部との間は、密接している沿接関係であってもよいし、隙間がある沿接関係でもよい。また、この沿接関係は、保持部材における樋部材左右の立ち上げ部にガイド部材の側面部が沿っている関係であってもよい。
【０００７】
そして、建築物の軒先構造の施工方法では、以下の構成にしたことを特徴とする。
４．下地の軒先端部付近にガイド部材を取り付け、該ガイド部材に対して軒先本体を軒棟方向にスライド可能に配設し、この軒棟方向に対向状の軒先本体における水切り化粧部と下地の軒先端部との間に外装材の軒棟方向への熱伸縮長さ以上の間隔からなる下向き開口状の熱伸縮調整空間部を形成し、かかる軒先本体に外装材の軒先側を固定するようにしたことを特徴とする。
【発明の効果】
【０００８】
Ａ．請求項１により、軒先構造として構成・構造が簡単で製作容易である。そして、下地の軒先端部と軒先本体における水切り化粧部との間の熱伸縮調整空間部が軒棟方向に拡がったり狭まったりすることで、水切り化粧部を含む軒先本体全体のスライドを可能にして、外装材の軒棟方向への熱伸縮に対応し得るようにしてあるため、動きが確実で熱伸縮対策が十分である。
Ｂ．請求項２により、さらに、ガイド部材における内側下向き或いは内向きの誘導部で軒先本体の被誘導部を軒棟方向にスライド可能に案内するため、外装材が軒先側の浮き沈みを押えられつつ軒棟方向へ熱伸縮することになると共に、軒先本体の軒棟方向への動きを外装材或いは同裏面の断熱材等によって妨げられずに滑らかである。
Ｃ．請求項３により、さらに、ガイド部材が桁行き方向に配された保持部材間に配設され、ガイド部材の側面部が保持部材の側面に沿っていると共にこの側面部の上縁或いは内面に沿い誘導部が設けられていることで、保持部材間における外装材裏面側に発生することもある結露水を軒先へ排水する働きが得られることになる。
Ｄ．請求項４により、軒先構造として構成・構造が簡単で製作容易であると共に、外装材の軒棟方向への熱伸縮に対応する軒先本体および水切り化粧部の動きが確実で熱伸縮対策が十分である軒先構造を、容易に組み付けて施工することができる。
【発明を実施するための最良の形態】
【０００９】
図１〜図２には本発明の建築物の軒先構造における実施の１形態として、縦葺き屋根の軒先構造を例示しており、躯体１の野地材２上には防水シート４が敷設されている。
軒先端部３における防水シート４上には軒先捨て水切り部材５が桁行き方向に配設され、この軒先捨て水切り部材５を含む防水シート４上には樋部材６を有する保持部材７が軒棟方向に配設されて固定ボルト８で野地材２側に固定されている。
そして、かかる軒先端部３における桁行き方向に隣り合う樋部材６間にはガイド部材９が取り付けられている。
【００１０】
ガイド部材９は、底面部９ａと左右の側面部９ｂからなる軒棟方向に短尺状の断面略上向きコ字状のもので、軒先捨て水切り部材５上に敷設されている底面部９ａの軒先端縁が熱伸縮調整空間部１４内に覗き出た状態に、底面部９ａをビス１０で野地材２側に固定されている。左右の側面部９ｂは、樋部材６左右の立ち上げ部６ａに沿接していると共に、この左右の側面部９ｂの上縁に沿い誘導部９ｃがそれぞれ設けられている。左右の誘導部９ｃは、側面部９ｂ上縁を内側に折り返すことで下向き溝状に形成されており、この左右の誘導部９ｃで軒先本体１１を軒棟方向にスライド案内可能にしてある。
また、底面部９ａの軒先端縁から下側に折り返した係止部９ｄを軒先捨て水切り部材５の軒先縁部５ａに下側から覆うように係止させることで、熱伸縮調整空間部１４内に覗き出ているガイド部材９軒先端縁側の上下動を阻止し、また、底面部９ａ軒先端縁からの結露水の水切りを可能にしてある。
【００１１】
軒先本体１１は、ガイド部材９よりも一回り小さい断面略上向きコ字状の軒先本体部１１ａと、この軒先本体部１１ａから軒先側に延設した被取付部１１ｅと、被取付部１１ｅにおける起立部１１ｆに取り付け固定されて一体状の水切り化粧部１２とで形成されている。軒先本体部１１ａは、ガイド部材９内を軒棟方向にスライド可能に形成してあり、左右の側面部１１ｂ上縁の上向き突状被誘導部１１ｃが下向き溝状の誘導部９ｃ内を軒棟方向に移動自在に案内されることによって、上下の動きを妨げられた状態で軒棟方向にスライドし得るように形成してある。
そして、被取付部１１ｅは、軒先本体部１１ａにおける底面部１１ｄ軒先端から斜め下方へ延びた後に立ち上がる起立部１１ｆと、この起立部１１ｆから軒側（水下側）へ延びる水平部１１ｇと、水平部１１ｇから下方へ延びる被係止部１１ｈとで形成してある。
かかる起立部１１ｆには水切り化粧部１２がビス１３で取り付けられて一体状に形成されている。
【００１２】
桁行き方向に長尺状の水切り化粧部１２は、垂直面部１２ａと、垂直面部１２ａ上縁から軒側へ延びる水平面部１２ｂと、水平面部１２ｂ先端から下向きに延びる被係止面部１２ｃと、垂直面部１２ａ下縁から下方へ延びる水切り化粧面部１２ｄを有している。
そして、水切り化粧部１２は桁行き方向に隣り合う樋部材６間の各軒先本体部１１ａと、垂直面部１２ａに起立部１１ｆが、水平面部１２ｂに水平部１１ｇが、被係止面部１２ｃに被係止部１１ｈが、それぞれ添接した状態に、垂直面部１２ａを起立部１１ｆとビス１３で取り付けることによって一体状に形成してある。
この一体状の軒先本体部１１ａと被取付部１１ｅと水切り化粧部１２を有している軒先本体１１は、各軒先本体部１１ａがガイド部材９に案内されていることで、軒側すなわち熱伸縮調整空間部１４の間隔Ｌ（軒棟方向）が拡がる軒方向へスライド可能であり、また、棟側すなわち熱伸縮調整空間部１４の間隔が狭まる棟方向へスライド可能にしてある。
【００１３】
かかる一体状の被取付部１１ｅと水切り化粧部１２における二重状の被係止面部１２ｃおよび被係止部１１ｈには、縦葺き屋根材１５軒側端の係止部１５ａが把持状に係止していることで、軒先本体１１と縦葺き屋根材１５は一体連動状に接続した状態に固定されており、縦葺き屋根材１５の長手方向（軒棟方向）の熱伸縮に従動するようにして、水切り化粧部１２を含む軒先本体１１がガイド部材９に案内されながら軒棟方向にスライドし得るようにしてある。
軒棟方向に対向状の水切り化粧部１２と軒先端部３との間に確保された熱伸縮調整空間部１４は、一体連動状の縦葺き屋根材１５および水切り化粧部１２を含む軒先本体１１が浮き沈みすなわち上下のブレ動きを妨げられた状態で軒棟方向にスライド可能な間隔Ｌを有している。また、この下向き開口状の熱伸縮調整空間部１４は、この空間部１４に臨み出ている樋部材６から流下する侵入水や縦葺き屋根材１５裏面側の結露水が熱伸縮調整空間部１４内を経て軒下方向へ落下するのを妨げない空間形状に形成してある。
【００１４】
縦葺き屋根材１５における左右側縁の係合部１５ｃは保持部材７の被係合部７ａ内に嵌合されて係合していると共に、この桁行き方向すなわち左右に隣り合う縦葺き屋根材１５の左右側縁部１５ｂ間をキャップ材１６で覆設されている。
そして、縦葺き屋根材１５軒側端の係止部１５ａは、軒先本体１１における二重状の被係止面部１２ｃおよび被係止部１１ｈを棟側と軒側の双方から把持するように係止していることにより、縦葺き屋根材１５がその軒先側の上下動すなわち浮き沈みを妨げられた状態で熱伸縮動作し得るようにしてある。
【００１５】
図３の（Ａ）〜（Ｄ）には本発明の建築物の軒先構造における誘導部９ｃと被誘導部１１ｃの他の形態を例示しており、例えば、図３の（Ａ）のように、側面部１１ｂ上縁の外向き突状被誘導部１１ｃが側面部９ｂ上縁の内向き溝状誘導部９ｃ内を軒棟方向に移動自在に案内されることによって、縦葺き屋根材１５が上下の動きを妨げられた状態で軒棟方向にスライドし得るように形成してもよい。また、図３の（Ｂ）のように、側面部１１ｂ上縁の外向き突状被誘導部１１ｃが側面部９ｂ内面途中の内向き溝状誘導部９ｃ内を軒棟方向に移動自在に案内されることによって、縦葺き屋根材１５が上下の動きを妨げられた状態で軒棟方向にスライドし得るように形成してもよい。また、図３の（Ｃ）のように、側面部１１ｂ上縁の外向き溝状被誘導部１１ｃが側面部９ｂ内面途中の内向き突状誘導部９ｃに沿い軒棟方向に移動自在に案内されることによって、縦葺き屋根材１５が上下の動きを妨げられた状態で軒棟方向にスライドし得るように形成してもよい。また、図３の（Ｄ）のように、ガイド部材９よりも一回り小さい断面略下向きコ字状の軒先本体部１１ａ上面左右の被誘導部１１ｃが側面部９ｂ上縁の内向き突状誘導部９ｃに沿い軒棟方向に移動自在に案内されることによって、縦葺き屋根材１５が上下の動きを妨げられた状態で軒棟方向にスライドし得るように形成してもよい。この図３の（Ｄ）のものの場合、ガイド部材９と軒先本体部１１ａとの組み合せが略箱状になり、図３の（Ａ）〜（Ｃ）のものは上方が開口した樋状のものになる。
【００１６】
図４〜図１０には本発明の建築物の軒先構造の施工方法における実施の１形態として、図１に例示した軒先構造の施工例を工程順に示している。
第１工程（図４および図５参照）
躯体１の野地材２上に防水シート４を敷設する。そして、軒先端部３の防水シート４上には軒先捨て水切り部材５を桁行き方向に配設する。この軒先捨て水切り部材５を含む防水シート４上には樋部材６および保持部材７を軒棟方向に配設して固定ボルト８で野地材２側に固定する。
第２工程（図６参照）
軒先端部３における桁行き方向に隣り合う樋部材６間の軒先捨て水切り部材５上にはガイド部材９を係止部９ｄが軒先縁部５ａに係止した状態にビス１０で野地材２側に固定する。ビス１０頭部には防水材を塗布する等して防水処理する。
第３工程（図７および図８参照）
ガイド部材９には軒先本体部１１ａを、左右の下向き溝状誘導部９ｃにそれぞれ上向き突状被誘導部１１ｃを挿し込んで棟側へ押し動かすことにより、軒棟方向にスライド可能に取り付ける。
第４工程（図９および図１０参照）
各軒先本体部１１ａの起立部１１ｆに渡るように水切り化粧部１２を沿接し、この沿接状態にビス１３で固定し、軒棟方向に対向状の水切り化粧部１２と軒先端部３との間に熱伸縮調整空間部１４を確保する。
然る後に、軒先本体１１における二重状の被係止面部１２ｃおよび被係止部１１ｈに縦葺き屋根材１５軒側端の係止部１５ａを把持状に係止し、水切り化粧部１２を有する軒先本体１１と縦葺き屋根材１５が一体連動状に接続した状態に固定する。
【００１７】
これによって、縦葺き屋根材１５は、この屋根材自体の長手方向（軒棟方向）の熱伸縮に従動するようにして、水切り化粧部１２を有する軒先本体１１全体がガイド部材９に上下にブレ動かないように案内されながら熱伸縮調整空間部１４の間隔Ｌを拡げたり狭めたりして軒棟方向にスライドすることで、保持部材７で保持されていない軒先側についても浮き沈みが発生するようなこと無く円滑に熱伸縮をすることになる。
【図面の簡単な説明】
【００１８】
【図１】本発明の建築物の軒先構造における実施の１形態を例示している拡大縦断側面図。
【図２】縦断正面図。
【図３】（Ａ）〜（Ｄ）は本発明の建築物の軒先構造における実施の他の１形態をそれぞれ例示している部分拡大縦断正面図。
【図４】本発明の建築物の軒先構造の施工方法における実施の１形態として、前記した図１の軒先構造の施工例の第１工程を例示している斜視図。
【図５】同拡大縦断側面図。
【図６】前記した図１の軒先構造の施工例の第２工程を例示している斜視図。
【図７】前記した図１の軒先構造の施工例の第３工程を例示している斜視図。
【図８】同拡大縦断側面図。
【図９】前記した図１の軒先構造の施工例の第４工程を例示している斜視図。
【図１０】同拡大縦断側面図。
【符号の説明】
【００１９】
１  躯体
２  野地材（下地）
３  軒先端部
４  防水シート
５  軒先捨て水切り部材
５ａ  軒先縁部
６  樋部材
７  保持部材
７ａ  被係合部
８  固定ボルト
９  ガイド部材
９ａ  底面部
９ｂ  側面部
９ｃ  誘導部
９ｄ  係止部
１０  ビス
１１  軒先本体
１１ａ  軒先本体部
１１ｂ  側面部
１１ｃ  被誘導部
１１ｄ  底面部
１１ｅ  被取付部
１１ｆ  起立部
１１ｇ  水平部
１１ｈ  被係止部
１２  水切り化粧部
１２ａ  垂直面部
１２ｂ  水平面部
１２ｃ  被係止面部
１２ｄ  水切り化粧面部
１３  ビス
１４  熱伸縮調整空間部
１５  縦葺き屋根材（外装材）
１５ａ  係止部
１５ｂ  左右側縁部
１５ｃ  係合部
１６  キャップ材
Ｌ  間隔
【図１】
2005213918.tif 000003
【図２】
2005213918.tif 000004
【図３】
2005213918.tif 000005
【図４】
2005213918.tif 000006
【図５】
2005213918.tif 000007
【図６】
2005213918.tif 000008
【図７】
2005213918.tif 000009
【図８】
2005213918.tif 000010
【図９】
2005213918.tif 000011
【図１０】
2005213918.tif 000012